(57)【要約】【課題】繊維系断熱材の落下を確実に阻止できるのはもちろん、繊維系断熱材を製作容易に組み込め、しかも、繊維系断熱材を床下地板の下面側の根太間にしっかりとした位置決めに組み込める断熱床パネルの構造を提供する。【解決手段】床下地板２の下面部の隣り合う木製根太４間に、繊維系断熱材５が設けられ、該繊維系断熱材５の下面部、及び、各木製根太４の下面部、並びに、各木製根太の両端面部、及び、木製根太の端面部が位置する側の繊維系断熱材の両側面部が、一枚のシート６でカバーされ、該シート６が、各木製根太の下面部と重なる根太長手方向中間部において各木製根太に止め付けられると共に、各木製根太の各端面部と重なる部分において各木製根太に止め付けられることで、前記繊維系断熱材が落下阻止状態に保持されている。【選択図】      図１
2010281168.tif 000002
【特許請求の範囲】
【請求項１】
床下地板の下面部に、複数本の木製根太が、互いに間隔をおいて並列状態に配置されて床下地板と接合一体化されると共に、
床下地板の下面部には、隣り合う木製根太間において、繊維系断熱材が設けられ、
該繊維系断熱材の下面部、及び、各木製根太の下面部、並びに、各木製根太の両端面部、及び、木製根太の端面部が位置する側の繊維系断熱材の両側面部が、一枚のシートでカバーされ、
該シートが、各木製根太の下面部と重なる根太長手方向中間部において各木製根太に止め付けられると共に、各木製根太の各端面部と重なる部分において各木製根太に止め付けられることで、前記繊維系断熱材が落下阻止状態に保持されていることを特徴とする断熱床パネルの構造。
【請求項２】
前記シートの止め付けがステープルで行われている請求項１に記載の断熱床パネルの構造。
【請求項３】
前記シートが不織布シートからなる請求項１又は２に記載の断熱床パネルの構造。
【請求項４】
前記シートが、木製根太と大引との干渉による床鳴りを防止する床鳴り防止機能を備えたシートからなっている請求項１乃至３のいずれか一に記載の断熱床パネルの構造。
【請求項５】
前記シートが繊維系断熱材の弾性復元力に抗して、該繊維系断熱材の下面側をカバーしている請求項１乃至４のいずれか一に記載の断熱床パネルの構造。
【請求項６】
床下地板の下面部に、複数本の根太が、互いに間隔をおいて並列状態に配置されて床下地板と接合一体化されると共に、
床下地板の下面部には、隣り合う根太間において、繊維系断熱材が設けられ、
該繊維系断熱材の下面部、各根太の下面部、及び、最外側の両根太の外方側の側面部が、一枚のシートでカバーされ、該シートが、最外側の各根太の外方側の側面部と重なる部分において最外側の各根太に止め付けられると共に、最外側の両根太間の各根太の下面部と重なる部分においてこれら各根太に止め付けられることで、前記繊維系断熱材が落下阻止状態に保持されていることを特徴とする断熱床パネルの構造。
【発明の詳細な説明】
【技術分野】
【０００１】
本発明は、断熱床パネルの構造に関する。
【背景技術】
【０００２】
断熱床の構造として、床下地板の下面部の隣り合う木製根太間に繊維系断熱材が配置され、該繊維系断熱材が木製根太間から落下してしまうのを防ぐため、シートで該繊維系断熱材の下面側をカバーすると共に、該シートの両側部をＺ形に屈曲させて繊維系断熱材の両側面部もカバーしながら、該シートの両側部を床下地板の下面部に接着剤で止め付け、シートの該両側部を床下地板と木製根太とで挟み込むようにした構造のものは、従来より知られている。
【先行技術文献】
【特許文献】
【０００３】
【特許文献１】特開平０６−２８８０６９号公報
【発明の概要】
【発明が解決しようとする課題】
【０００４】
しかしながら、上記のような構造では、床下地板と木製根太とを接合する前の段階で、床下地板の下面側に、繊維系断熱材を設置し、シートで該繊維系断熱材がカバーしておく必要があり、そのため、木製根太を、繊維系断熱材を設置するうえでの位置決めに使用することができず、繊維系断熱材を床下地板の下面側に組み込むのに手間を要するという問題がある。
【０００５】
また、繊維系断熱材を床下地板の下面側に保持させるため、シートの両側部を屈折させて繊維系断熱材の両側面部をカバーするようにしているが、繊維系断熱材のもう一方の両側面部はシートでカバーされておらず、その方向には根太も存在しておらず、そのため、繊維系断熱材がシートでカバーされていない方向に位置ずれを起こしてしまうおそれがあるという問題もある。
【０００６】
本発明は、上記のような問題点に鑑み、繊維系断熱材の落下を確実に阻止することができ、しかも、繊維系断熱材を製作容易に組み込むことができ、また、繊維系断熱材を床下地板の下面側の根太間にしっかりとした位置決めに組み込むことができる断熱床パネルの構造を提供することを課題とする。
【課題を解決するための手段】
【０００７】
上記の課題は、床下地板の下面部に、複数本の木製根太が、互いに間隔をおいて並列状態に配置されて床下地板と接合一体化されると共に、
床下地板の下面部には、隣り合う木製根太間において、繊維系断熱材が設けられ、
該繊維系断熱材の下面部、及び、各木製根太の下面部、並びに、各木製根太の両端面部、及び、木製根太の端面部が位置する側の繊維系断熱材の両側面部が、一枚のシートでカバーされ、
該シートが、各木製根太の下面部と重なる根太長手方向中間部において各木製根太に止め付けられると共に、各木製根太の各端面部と重なる部分において各木製根太に止め付けられることで、前記繊維系断熱材が落下阻止状態に保持されていることを特徴とする断熱床パネルの構造によって解決される（第１発明）。
【０００８】
この構造では、シートが、繊維系断熱材の下面部、及び、各木製根太の下面部、並びに、各木製根太の両端面部、及び、木製根太の端面部が位置する側の繊維系断熱材の両側面部をカバーするようになされているので、繊維系断熱材の組込みは、床下地板に木製根太を接合一体化した状態で、木製根太間に設置するというようにして行うことができて、木製根太を、繊維系断熱材の組込みの際の位置決めに利用することができ、繊維系断熱材を製作容易に組み込むことができる。
【０００９】
しかも、シートは、繊維系断熱材の下面部、及び、各木製根太の下面部のみならず、各木製根太の両端面部、及び、木製根太の端面部が位置する側の繊維系断熱材の両側面部をカバーするようになされているので、繊維系断熱材が木製根太の長手方向に位置ずれを起こすのをシートが阻止し、繊維系断熱材を床下地板の下面側の木製根太間にしっかりとした位置決めに組み込むことができる。
【００１０】
そして、上記シートによる保持作用によって、繊維系断熱材が落下するのを確実に阻止することができる。
【００１１】
第１発明において、前記シートの止め付けがステープルで行われているとよい（第２発明）。この場合は、根太が木製であることを利用して、シートの止め付けの容易に行っていくことができる。
【００１２】
第１，第２発明において、シートが不織布シートからなるとよい（第３発明）。この場合は、夏季の床下結露による繊維系断熱材の濡れを防ぐことができる。
【００１３】
第１〜第３発明において、前記シートが、木製根太と大引との干渉による床鳴りを防止する床鳴り防止機能を備えたシートからなっているとよい（第４発明）。この場合は、繊維系断熱材の落下阻止のためのシートを取り付けるだけで、同時に、木製根太と大引との干渉による床鳴りも防止され、簡素な構造で、木製根太と大引との干渉による床鳴りを防止することができる。
【００１４】
第１〜第４発明において、前記シートが繊維系断熱材の弾性復元力に抗して、繊維系断熱材の下面側をカバーしているとよい（第５発明）。この場合は、繊維系断熱材と床下地板とを密着状態に保持することができて、床下地板と繊維系断熱材との間の隙間による断熱性能の低下を防ぐことができる。
【００１５】
また、上記の課題は、床下地板の下面部に、複数本の根太が、互いに間隔をおいて並列状態に配置されて床下地板と接合一体化されると共に、
床下地板の下面部には、隣り合う根太間において、繊維系断熱材が設けられ、
該繊維系断熱材の下面部、各根太の下面部、及び、最外側の両根太の外方側の側面部が、一枚のシートでカバーされ、該シートが、最外側の各根太の外方側の側面部と重なる部分において最外側の各根太に止め付けられると共に、最外側の両根太間の各根太の下面部と重なる部分においてこれら各根太に止め付けられることで、前記繊維系断熱材が落下阻止状態に保持されていることを特徴とする断熱床パネルの構造によって解決される（第６発明）。
【００１６】
この構造では、シートが、繊維系断熱材の下面部、各根太の下面部、及び、最外側の両根太の外方側の側面部をカバーするようになされているので、繊維系断熱材の組込みは、床下地板に根太を接合一体化した状態で、根太間に設置するというようにして行うことができて、根太を、繊維系断熱材の組込みの際の位置決めに利用することができ、繊維系断熱材を製作容易に組み込むことができる。もちろん、上記シートによる保持作用によって、繊維系断熱材が落下するのを確実に阻止することができる。
【発明の効果】
【００１７】
本発明の断熱床パネルの構造は、以上のとおりのものであるから、繊維系断熱材の落下を確実に阻止することができ、しかも、繊維系断熱材を製作容易に組み込むことができる。また、繊維系断熱材を床下地板の下面側の根太間にしっかりとした位置決めに組み込むことができる。
【図面の簡単な説明】
【００１８】
【図１】図（イ）は第１実施形態の断熱床パネルの斜視図、図（ロ）は同断熱床パネルからシートを省略した状態に斜視図である。
【図２】図（イ）は同断熱床パネルの断面側面図、図（ロ）は同分解断面側面図である。
【図３】図（イ）〜図（ホ）は、断熱床パネルの製作方法を順次に示す正面図である。
【図４】図（イ）は第２実施形態の断熱床パネルの斜視図、図（ロ）は同断熱床パネルからシートを省略した状態に斜視図である。
【発明を実施するための形態】
【００１９】
次に、本発明の実施形態を図面に基づいて説明する。
【００２０】
図１〜図３に示す第１実施形態の断熱床パネル１の構造において、２は合板などからなる床下地板であり、該床下地板２の下面部に、複数本、本実施形態では３本の木製根太が、互いに間隔をおいて並列状態に配置されて、床下地板２とビス３…で接合一体化されている。
【００２１】
そして、床下地板２の下面部には、隣り合う木製根太４…間において、繊維系断熱材５…が複数、設けられ、一枚のシート６が、各繊維系断熱材５…の下面部、及び、各木製根太４…の下面部、並びに、各木製根太４…の両端面部、及び、木製根太４の端面部が位置する側の繊維系断熱材５…の両側面部をカバーし、
該シート６は、各木製根太４…の下面部と重なる根太長手方向中間部において各木製根太４にステープル７…で止め付けられると共に、各木製根太４…の各端面部と重なる部分において各木製根太４…に同じくステープル７…で止め付けられ、それにより、各繊維系断熱材５…を落下阻止状態に保持した構造となっている。
【００２２】
上記のシート６は、不織布シートからなっていると共に、木製根太４…と、図示しない大引との干渉による床鳴りを防止する床鳴り防止機能を備えており、また、繊維系断熱材５…の弾性復元力に抗して、該繊維系断熱材５…の下面側をカバーした構造となっている。
【００２３】
上記の断熱床パネル１の製作は、図３（イ）に示すように、木製根太４…を取り付けた床下地板２を、木製根太４…が上になるように向けた状態にセットした後、木製根太４…間に繊維系断熱材５を配置し、鹿後、図３（ロ）に示すように、シート６を上方より被せ、図３（ハ）に示すように、シート６の両端部を、各木製根太４…の両端面部、及び、木製根太４の端面部が位置する側の繊維系断熱材５…の両側面部の側に折り曲げ、そして、図３（ニ）（ホ）に示すように、各木製根太４…の上面部の長さ方向中間部と、両端面部とに対しステープル７…を打ち込んで、シート６を木製根太に止め付ける、というようにして行えばよい。
【００２４】
このように、上記の断熱床パネル１の構造によれば、シート６による保持作用によって、繊維系断熱材５が落下するのを確実に阻止することができ、
しかも、繊維系断熱材５…の組込みは、床下地板２の下面側に木製根太４を接合一体化した状態で、木製根太４…間に設置することができて、木製根太４…を、繊維系断熱材５…の組込みの際の位置決めに利用することができ、繊維系断熱材５を製作容易に組み込むことができ、
加えて、繊維系断熱材５…が木製根太４…の長手方向に位置ずれを起こすのをシート６が阻止し、繊維系断熱材５を床下地板の下面側の木製根太４間にしっかりとした位置決めに組み込むことができる。
【００２５】
また、シート６の止め付けは、根太４…が木製であることを利用して、ステープル７…で容易に行っていくことができ、シート６が不織布シートからなっていることにより、夏季の床下結露による繊維系断熱材５…の濡れを防ぐことができ、シート６が、木製根太４…と大引との干渉による床鳴りを防止する床鳴り防止機能を備えたシートからなっていることにより、簡素な構造で、木製根太４…と大引との干渉による床鳴りを防止することができ、シート６が繊維系断熱材５…の弾性復元力に抗して、繊維系断熱材５…の下面側をカバーしていることにより、繊維系断熱材５…と床下地板２とを密着状態に保持して断熱性能の低下を防ぐことができる。
【００２６】
図４に示す第２実施形態の断熱床パネル１の構造は、シート６が、繊維系断熱材５…の下面部、各根太４ａ，４ａ，４ｂ，４ｂの下面部、及び、最外側の両根太４ａ，４ａの外方側の側面部をカバーするようになされていて、最外側の各根太４ａ，４ａの外方側の側面部と重なる部分において最外側の各根太４ａ，４ａにステープル７で止め付けられると共に、最外側の両根太４ａ，４ａ間の各根太４ｂ，４ｂの下面部と重なる部分においてこれら各根太４ｂ，４ｂにステープル７で止め付けられることで、前記繊維系断熱材５…が落下阻止状態に保持された構造となっているものである。その他は、第１実施形態と同様である。
【００２７】
この断熱床パネル１の構造においても、シート６による保持作用によって、繊維系断熱材５が落下するのを確実に阻止することができ、しかも、繊維系断熱材５…の組込みは、床下地板２の下面側に根太４ａ…，４ｂ…を接合一体化した状態で、木製根太４ａ…，４ｂ…間に設置することができて、根太４ａ…，４ｂ…を、繊維系断熱材５…の組込みの際の位置決めに利用することができ、繊維系断熱材５を製作容易に組み込むことができる。また、第１実施形態の場合もそうであるが、シート６が、根太の下面側から、側面側や端面側に折り込み状態にされて止め付けられた構造とすることにより、下面側のシート部分を浮き上がりのない安定した張設状態にすることができる。なお、本実施形態では、最外側の根太４ａ，４ａのうちの一方を樹脂製のアングル材とし、残る根太を木製根太として、樹脂製アングル材からなる根太の立ち上がり板部の外方側の側面部にシートをステープルで止め付けるようにしてもよい。
【符号の説明】
【００２８】
１…断熱床パネル
２…床下地板
４，４ａ，４ｂ…根太
５…繊維系断熱材
６…シート
７…ステープル
【図１】
2010281168.tif 000003
【図２】
2010281168.tif 000004
【図３】
2010281168.tif 000005
【図４】
2010281168.tif 000006